(57)【要約】【課題】所定の画像再現システムによって作成されるプルーフ画像の色を簡単に修正できる色修正装置および、コンピュータをこの色修正装置として動作させる色修正プログラムを提供する。【解決手段】ターゲットシステムから出力された網点チャート画像が測色されて得られる第１の測色値を入手する第１の測色値入手部５３０と、画像再現システムから出力された網点チャート画像が測色されて得られる第２の測色値を入手する第２の測色値入手部５４０と、第１の測色値と第２の測色値とに基づいて、上記ターゲットシステムにおけるドットゲインと上記画像再現システムにおけるドットゲインとの差を算出するドットゲイン差算出部５５０と、ドットゲイン差算出部５５０によって算出されたドットゲインの差に基づいた色修正を、上記画像再現システムに組み込む色修正部５６０とを備えた。【選択図】        図６
2006101169.tif 000002
【特許請求の範囲】
【請求項１】
網点構造の網点画像を表わす網点画像データに基づいて該網点画像を出力するターゲットシステムからの該網点画像データの入手と、その網点画像データに網点よりも微細な画素単位による等色変換を施すことによる該網点画像データの、所定の再現色空間で色を定義して前記網点画像を表わす変換網点画像データへの変換と、該変換網点画像データに基いた前記網点画像の再現とを行なう画像再現システムに対し、この画像再現システムで再現される再現網点画像の色が、前記ターゲットシステムから出力される網点画像の色に近づくような色修正を組み込む色修正装置において、
一連の階調を構成する一連の色を有する一連のパッチからなるチャート画像が網点で表現された、前記ターゲットシステムから出力された網点チャート画像が測色されて得られる第１の測色値を入手する第１の測色値入手部と、
前記画像再現システムによって前記網点チャート画像が再現された再現網点チャート画像が測色されて得られる第２の測色値を入手する第２の測色値入手部と、
前記第１の測色値と、前記第２の測色値とに基づいて、前記ターゲットシステムと前記画像再現システムとの間のドットゲイン差を算出するドットゲイン差算出部と、
前記ドットゲイン差に基づいた色修正を前記画像再現システムにおける前記等色変換の前または後に組み込む色修正部とを備えたことを特徴とする色修正装置。
【請求項２】
前記画像再現システムが、前記網点画像データを、所定の色空間で色を定義して前記網点画像を表わした画像データに変換し、該画像データを、該色空間と前記再現色空間との間の等色変換関係を定義した色変換定義を使って前記変換網点画像データに変換するものであって、
前記色修正部が、前記色変換定義を修正することによって、前記画像再現システムに色修正を組み込むものであることを特徴とする請求項１記載の色修正装置。
【請求項３】
前記色修正を複数保存する色修正保存部と、
前記色修正保存部に保存される複数の色修正の中から１つの色修正を選択し、選択した色修正を前記画像再現システムに組み込む色修正選択部を備えたことを特徴とする請求項１記載の色修正装置。
【請求項４】
前記色修正選択部が、検索機能を有し、該検索機能を用いて前記色修正保存部に保存される複数の色修正の中から１つの色修正を選択するものであることを特徴とする請求項３記載の色修正装置。
【請求項５】
前記画像再現システムに組み込まれている色修正を保存する色修正保存部と、
前記第２の測色値入手部および前記ドットゲイン差算出部に対し、前記色修正が組み込まれた画像再現システムを前提として再度の処理を実行させる再処理制御部を備え、
前記再度の処理が実行された場合には、前記ドットゲイン差算出部によって算出されたドットゲイン差に基づいた修正を、前記画像再現システムに組み込まれている色修正に施すものであり、
前記再度の処理が実行されることによって、前記色修正保存部に保存される複数の色修正の中から１つの色修正を選択し、選択した色修正を最終的な色修正として前記画像再現システムに組み込む色修正選択部を備えたことを特徴とする請求項１記載の色修正装置。
【請求項６】
前記色修正部が、前記ドットゲイン差算出部によって求められたドットゲイン差と重み係数とに基づいた色修正を前記画像再現システムに組み込むものであることを特徴とする請求項１記載の色修正装置。
【請求項７】
前記色修正部が、前記重み係数として、前記画像再現システムによって再現される網点チャート画像の色と、前記ターゲットシステムから出力される網点チャート画像の色との色差に応じた重み係数を用いるものであることを特徴とする請求項６記載の色修正装置。
【請求項８】
前記色修正部が、前記重み係数として、設定された重み係数を用いるものであることを特徴とする請求項６記載の色修正装置。
【請求項９】
コンピュータに組み込まれ、該コンピュータを、網点構造の網点画像を表わす網点画像データに基づいて該網点画像を出力するターゲットシステムからの該網点画像データの入手と、その網点画像データに網点よりも微細な画素単位による等色変換を施すことによる該網点画像データの、所定の再現色空間で色を定義して前記網点画像を表わす変換網点画像データへの変換と、該変換網点画像データに基いた前記網点画像の再現とを行なう画像再現システムに対し、この画像再現システムで再現される再現網点画像の色が、前記ターゲットシステムから出力される網点画像の色に近づくような色修正を組み込む色修正装置として動作させる色修正プログラムにおいて、
該コンピュータ上で、
一連の階調を構成する一連の色を有する一連のパッチからなるチャート画像が網点で表現された、前記ターゲットシステムから出力された網点チャート画像が測色されて得られる第１の測色値を入手する第１の測色値入手部と、
前記画像再現システムによって前記網点チャート画像が再現された再現網点チャート画像が測色されて得られる第２の測色値を入手する第２の測色値入手部と、
前記第１の測色値と、前記第２の測色値とに基づいて、前記ターゲットシステムと前記画像再現システムとの間のドットゲイン差を算出するドットゲイン差算出部と、
前記ドットゲイン差に基づいた色修正を、前記画像再現システムにおける前記等色変換の前または後に組み込む色修正部とを構築することを特徴とする色修正プログラム。
【発明の詳細な説明】
【技術分野】
【０００１】
本発明は、所定の画像再現システムにおいて再現される網点画像の色が、その画像再現システムに対応するターゲットシステムによって出力される網点画像の色に近づくような色修正をその画像再現システムに組み込む色修正装置、および、コンピュータ内で実行され、そのコンピュータをこの色修正装置として動作させる色修正プログラムに関する。
【背景技術】
【０００２】
従来より、カラー画像印刷を行なう印刷機を含むターゲットシステムによって出力される印刷物の仕上りを事前に確認するために、その印刷物が色も含めて再現されたプルーフ画像を、プリンタ等を含む画像再現システムによって事前に作成する等といったことが行なわれている。
【０００３】
ここで、ターゲットシステムから出力される印刷物の色を再現するために、ターゲットシステムと画像再現システムとのそれぞれに依存した２種類の色空間の間の等色変換関係を定義したデバイスリンクプロファイルを作成し、このデバイスリンクプロファイルに基づいて、ターゲットシステム用の画像データを画像再現システム用の画像データに変換することにより、上記のプルーフ画像を表わす画像データを作成する技術が提案されている（例えば、特許文献１参照。）。
【特許文献１】特開２００２−１３９３８１号公報（第７−１６頁、図６）
【発明の開示】
【発明が解決しようとする課題】
【０００４】
ところで印刷物の刷版の多くは、所定のページ記述言語で画像を表現した画像データから、いわゆるＲＩＰ（Ｒａｓｔｅｒ  Ｉｍａｇｅ  Ｐｒｏｃｅｓｓｏｒ）等による変換処理等を経て最終的に生成される、網点で画像を表現する網点画像データに基づいて作成される。ここで、印刷が終了した後は、後に再度印刷を行なう場合に備えて、印刷物を再現できる何らかのものをある程度の期間保存しておくことが望ましい。印刷物を最も確実に再現できるのは刷版であるが、刷版の長期間に亘る保存は煩雑であるため、一般には、刷版を再現できるデータが保存されることが多い。上記のページ記述言語で画像を表現した画像データからでも刷版を再現することができるが、例えば、データの保存期間中に前回の印刷の際に使用されたＲＩＰが別種のＲＩＰやバージョンの異なるＲＩＰに交換されてしまったりすると、上記の画像データでは、刷版を正確に再現できなくなる恐れがある。このような問題を回避し、刷版を確実に再現するためには、刷版作成の元となった網点画像データを保存することが望ましい。
【０００５】
後日に、このような網点画像データを用いて再度の印刷を行なう際にも、上述したプルーフ画像による仕上がりの確認が行なわれる。この場合、プルーフ画像は、網点画像データから作成されることとなる。ところで、特許文献１に示す技術が適用された画像再現システムでは、上記のデバイスリンクプロファイルは、印刷物を作成するターゲットシステムに依存したターゲット色空間で色を定義した、ＣＭＹＫ４色それぞれの「０」〜「１００」の網パーセントからなる画像データから、プルーフ画像を作成する画像再現システムに依存した出力色空間で色を定義した、ＣＭＹＫ４色それぞれの「０」〜「２５５」のデバイス値からなる画像データへのデータ変換に用いられる。そこで、上記のように網点画像データからプルーフ画像を作成する画像再現システムでは、網点部分の画素値を「１」とし、非網点部分の画素値を「０」として、「０」と「１」の２階調で画像を表わしている網点画像データが、網点部分の画素値を「１００」の網パーセントとし、非網点部分の画素値を「０」の網パーセントとすることによって、ＣＭＹＫ４色それぞれの網パーセントからなる画像データに一旦翻訳される。そして翻訳後の画像データが、上記のデバイスリンクプロファイルに基づいて、出力色空間で色が定義された、ＣＭＹＫ４色それぞれのデバイス値からなる画像データに変換される。そして、この画像データに基づいてプルーフ画像が作成される。このような一連の処理を経ることにより、ターゲットシステムから渡された網点画像データから、印刷物の網点構造が維持されたまま、色がこの網点構造よりもさらに微細な画素単位で再現されたプルーフ画像が作成される。しかしながら、印刷物の画素単位の色が再現されているにも関わらず、ターゲットシステムと画像再現システムとの間の画像形成特性の相違等に起因して、人間にはこのプルーフ画像の色が印刷物の色とは違って見えてしまうという不具合がしばしば発生する。このような不具合が発生した場合には、プルーフ画像の色が印刷物の色に近づくように画像再現システムに対して修正作業を行なわなければならないが、従来のこのような修正作業は、例えば熟練者の経験等に頼った試行錯誤による困難な作業である。
【０００６】
本発明は、上記事情に鑑み、所定の画像再現システムによって作成されるプルーフ画像の色を簡単に修正することができる色修正装置、および、コンピュータをこの色修正装置として動作させる色修正プログラムを提供することを目的とする。
【課題を解決するための手段】
【０００７】
上記目的を達成する本発明の色修正装置は、網点構造の網点画像を表わす網点画像データに基づいてその網点画像を出力するターゲットシステムからのその網点画像データの入手と、その網点画像データに網点よりも微細な画素単位による等色変換を施すことによるその網点画像データの、所定の再現色空間で色を定義して上記網点画像を表わす変換網点画像データへの変換と、その変換網点画像データに基いた上記網点画像の再現とを行なう画像再現システムに対し、この画像再現システムで再現される再現網点画像の色が、上記ターゲットシステムから出力される網点画像の色に近づくような色修正を組み込む色修正装置において、
一連の階調を構成する一連の色を有する一連のパッチからなるチャート画像が網点で表現された、上記ターゲットシステムから出力された網点チャート画像が測色されて得られる第１の測色値を入手する第１の測色値入手部と、
上記画像再現システムによって上記網点チャート画像が再現された再現網点チャート画像が測色されて得られる第２の測色値を入手する第２の測色値入手部と、
上記第１の測色値と、上記第２の測色値とに基づいて、上記ターゲットシステムと上記画像再現システムとの間のドットゲイン差を算出するドットゲイン差算出部と、
上記ドットゲイン差に基づいた色修正を、上記画像再現システムにおける上記等色変換の前または後に組み込む色修正部とを備えたことを特徴とする。
【０００８】
微細な単位の色が印刷物の色に合うように再現されたプルーフ画像と、その印刷物とを見比べると両者の色が違って見えるという上述したような不具合の主な原因として、印刷機を含むターゲットシステムと、プリンタを含む画像再現システムそれぞれのドットゲイン特性が互いに異なっていることが挙げられる。このドットゲイン特性が異なると、記録媒体への最終的なインクの付き方が印刷物とプルーフ画像とで互いに異なってしまい、網点の形が相違して、オペレータの目がプルーフ画像と印刷物それぞれをマクロに捉えたときに感じる色に差が生じてしまう。
【０００９】
本発明の色修正装置によれば、上記ターゲットシステムと上記画像再現システムそれぞれによって出力された、２種類の網点チャート画像を用いて、ターゲットシステムと画像再現システムそれぞれにおけるドットゲインの差が求められ、この差に基づいた色修正が上記画像再現システムに組み込まれる。そして、この画像再現システムでは、プルーフ画像の作成時に、画像再現システムに組み込まれた色修正が実行され、プルーフ画像の色が上記ターゲットシステムによって出力される印刷物の色に近づくように修正される。本発明の色修正装置によれば、熟練者の経験等に非依存な、このような単純な処理によって色修正が実行される。つまり、本発明の色修正装置によれば、画像再現システムによって作成されるプルーフ画像の色を簡単に修正することができる。
【００１０】
ここで、本発明の色修正装置は、「上記画像再現システムが、上記網点画像データを、、所定の色空間で色を定義して上記網点画像を表わした画像データに変換し、その画像データを、その色空間と上記再現色空間との間の等色変換関係を定義した色変換定義を使って上記変換網点画像データに変換するものであって、
上記色修正部が、上記色変換定義を修正することによって、上記画像再現システムに色修正を組み込むものである」という形態であっても良い。
【００１１】
このような形態によれば、上記画像再現システムに色修正を組み込む色修正部を容易に実現することができる。
【００１２】
また、本発明の色修正装置は、「上記色修正を複数保存する色修正保存部と、
上記色修正保存部に保存される複数の色修正の中から１つの色修正を選択し、選択した色修正を上記画像再現システムに組み込む色修正選択部を備えた」という形態であっても良い。
【００１３】
このような形態の色修正装置によれば、例えば、出力デバイスが互いに異なる等といった複数の画像再現システムそれぞれに対応する色修正を上記色修正保存部に保存しておくことができる。そして、今回の画像再現システムに対応する色修正が上記色修正保存部に保存されている場合には、上記第１および第２の測色値入手部と、上記ドットゲイン差算出部との処理を省略して、それらの色修正の中から、今回の画像再現システムに対応する色修正を選択して画像再現システムに組み込む等といった効率的な運用を実行することができる。
【００１４】
また、このような形態の色修正装置において、「上記色修正選択部が、検索機能を有し、その検索機能を用いて上記色修正保存部に保存される複数の色修正の中から１つの色修正を選択するものである」という形態は好ましい形態である。
【００１５】
この好ましい形態の色修正装置によれば、上記色修正選択部が、上記色修正保存部に保存されている色修正の中から今回の画像再現システムに対応する色修正を選択するにあたって、上記検索機能を用いてこの色修正を容易に見つけ出すことができる。
【００１６】
また、本発明の色修正装置において、「上記画像再現システムに組み込まれている色修正を保存する色修正保存部と、
上記第２の測色値入手部および上記ドットゲイン差算出部に対し、上記色修正が組み込まれた画像再現システムを前提として再度の処理を実行させる再処理制御部を備え、
上記再度の処理が実行された場合には、上記ドットゲイン差算出部によって算出されたドットゲイン差に基づいた修正を、上記画像再現システムに組み込まれている色修正に施すものであり、
上記再度の処理が実行されることによって、上記色修正保存部に保存される複数の色修正の中から１つの色修正を選択し、選択した色修正を最終的な色修正として上記画像再現システムに組み込む色修正選択部を備えた」という形態は好ましい形態である。
【００１７】
この好ましい形態の色修正装置によれば、上記再度の処理を実行することによって、上記画像再現システムに組み込まれている色修正の精度を高めることができる。また、上記再度の処理を繰返し実行すると、一般に、色修正の精度は単調に高まるが、ある程度以上に高精度では精度が収束し難くなることが経験的にわかっている。このような場合、上記の好ましい形態の色修正装置によれば、複数回の処理で得られた、互いに精度が微妙に異なる様々な色修正を上記色修正保存部に保存しておき、それらの中から最も精度の高い色修正を選択する等といった運用を実行することができる。
【００１８】
また、本発明の色修正装置において、上記色修正部が、上記ドットゲイン差算出部によって求められたドットゲイン差と重み係数とに基づいた色修正を上記画像再現システムに組み込むものであるという形態も好ましい形態である。
【００１９】
この好ましい形態の色修正装置によれば、例えば、上記画像再現システムによって出力される画像の色が上記ターゲットシステムによって出力される画像の色から大幅にずれている場合には大きな重み係数を用いて大幅に色を修正する色修正を画像再現システムに組み込み、両者の色があまりずれていない場合には小さな重み係数用いて色の微調整を行なう色修正を画像再現システムに組み込む等というように、色を修正する程度を上記重み係数によって適宜に調整して、色修正の精度を高めることができる。
【００２０】
ここで、この好ましい形態の色修正装置は、「上記重み係数として、上記画像再現システムによって再現される網点チャート画像の色と、上記ターゲットシステムから出力される網点チャート画像の色との色差に応じた重み係数を用いるものである」という形態であっても良く、あるいは、
「上記色修正部が、上記重み係数として、設定された重み係数を用いるものである」という形態であっても良い。
【００２１】
前者の形態によれば、画像再現システムに組み込む色修正における、色を修正する程度を自動的に変えることができ、後者の形態によれば、修正の程度を例えばオペレータによる設定操作によって変えることができる。
【００２２】
また、上記目的を達成する本発明の色修正プログラムは、コンピュータに組み込まれ、そのコンピュータを、網点構造の網点画像を表わす網点画像データに基づいてその網点画像を出力するターゲットシステムからのその網点画像データの入手と、その網点画像データに網点よりも微細な画素単位による等色変換を施すことによるその網点画像データの、所定の再現色空間で色を定義して上記網点画像を表わす変換網点画像データへの変換と、その変換網点画像データに基いた上記網点画像の再現とを行なう画像再現システムに対し、この画像再現システムで再現される再現網点画像の色が、上記ターゲットシステムから出力される網点画像の色に近づくような色修正を組み込む色修正装置として動作させる色修正プログラムにおいて、
そのコンピュータ上で、
一連の階調を構成する一連の色を有する一連のパッチからなるチャート画像が網点で表現された、上記ターゲットシステムから出力された網点チャート画像が測色されて得られる第１の測色値を入手する第１の測色値入手部と、
上記画像再現システムによって上記網点チャート画像が再現された再現網点チャート画像が測色されて得られる第２の測色値を入手する第２の測色値入手部と、
上記第１の測色値と、上記第２の測色値とに基づいて、上記ターゲットシステムと上記画像再現システムとの間のドットゲイン差を算出するドットゲイン差算出部と、
上記ドットゲイン差に基づいた色修正を、上記画像再現システムにおける上記等色変換の前または後に組み込む色修正部とを構築することを特徴とする。
【００２３】
本発明の色修正プログラムによれば、本発明の色修正装置を容易に実現することができる。
【００２４】
なお、本発明にいう色修正プログラムについては、ここではその基本形態のみを示すのにとどめるが、これは単に重複を避けるためであり、本発明にいう色修正プログラムには、上記の基本形態のみではなく、前述した色修正装置の各形態に対応する各種の形態が含まれる。
【発明の効果】
【００２５】
以上、説明したように、本発明によれば、所定の画像再現システムによって作成されるプルーフ画像の色を簡単に修正できる色修正装置、およびコンピュータをこの色修正装置として動作させる色修正プログラムを提供することができる。
【発明を実施するための最良の形態】
【００２６】
以下図面を参照して本発明の実施の形態を説明する。
【００２７】
図１は、本発明の一実施形態が適用される印刷−プルーフシステムの全体構成図である。
【００２８】
カラースキャナ１０では、原稿画像１１が読み取られて、その読み取られた原稿画像１１を表わすＣ（シアン）、Ｍ（マゼンタ）、Ｙ（イエロー）、およびＫ（ブラック）の４色の色分解画像データが生成される。このＣＭＹＫの画像データはワークステーション２０に入力される。ワークステーション２０では、オペレータによって、入力された画像データに基づく電子的な集版が行なわれ、印刷用の画像を表わす画像データが生成される。      
【００２９】
ここで、ワークステーション２０から印刷機４０に至るターゲットシステム３００によって作成される印刷物の色は、フィルムプリンタ３０や印刷機４０の特性の影響をうける。つまり、この画像データでは、ターゲットシステム３００に依存したＣＭＹＫ色空間（以後、ターゲット色空間と呼ぶ）で色が定義されている。
【００３０】
この印刷用の画像を表わす画像データは、いわゆるＰＤＬ（Ｐａｇｅ  Ｄｅｓｃｒｉｐｔｉｏｎ  Ｌａｎｇｕａｇｅ）で記述された記述言語データである。ワークステーション２０では、この画像データが、いわゆるＲＩＰ（Ｒａｓｔｅｒ  Ｉｍａｇｅ  Ｐｒｏｃｅｓｓｏｒ）により網点化されて、ＣＭＹＫ４色の網点構造を表わす網点画像データが作成される。この段階では、画像は、これらＣＭＹＫ４色の網点構造の重ね合わせで表わされることとなる。また、網点画像データでは、網点構造における網点部分の画素値が「１」とされ、非網点部分の画素値が「０」とされて、「０」と「１」の２階調で画像が表わされている。
【００３１】
この網点画像データは、印刷を行なう場合は、フィルムプリンタ３０に入力され、フィルムプリンタ３０では、その入力された網点画像データに対応した、ＣＭＹＫ各版からなる印刷用フィルム原版が作成される。この印刷用フィルム原版からは刷版が作成され、その刷版が印刷機４０に装着される。そして、刷版にインクが塗布され、その塗布されたインクが印刷用の用紙上に転移されてその用紙上に印刷画像４１が形成される。上述したように、後日に刷版を確実に再現するためには、刷版作成の元となる網点画像データを保存することが望ましい。図１に示す印刷−プルーフシステムでは、この網点画像データが保存される。
【００３２】
ここで、フィルムプリンタ３０によってこの網点画像データから印刷用フィルム原版を作成し、さらに刷版を作成して印刷機４０に装着し、その刷版にインクを塗布して用紙上に印刷を行なうという一連の作業は、大掛かりな作業でありコストもかかる。このため、実際の印刷作業を行なう前に、パーソナルコンピュータ８０およびプリンタ６０によってプルーフ画像６１を作成し、印刷画像４１の仕上りの事前確認が行なわれる。
【００３３】
プルーフ画像６１の作成にあたっては、ワークステーション２０から、網点画像を「０」と「１」との２階調で表わした網点画像データがパーソナルコンピュータ８０に入力される。本実施形態では、パーソナルコンピュータ８０において、まず、この網点画像データが、「０」と「１」とのそれぞれが、「０」の網パーセントと「１００」の網パーセントとに単純に置き換えられることにより、ＣＭＹＫ４色それぞれの網パーセントで網点画像を表わした網点画像データに翻訳される。尚、この翻訳方法は、網パーセントへの置き換えに限るものではなく、例えば、「０」と「１」が、それぞれ「０」と「２５５」といった８ビット値に置き換えられる等といった方法であってもよい。
【００３４】
また、最終的にプルーフ画像を出力するプリンタ６０は、上記のターゲットシステム３００に対応した解像度よりも低い解像度で画像を出力するので、上記の翻訳後の網点画像データに、解像度をプリンタ６０の解像度に合わせ込む解像度変換が施される。この解像度変換により、変換前までは、「０」と「１００」との２つの網パーセントのみからなっていた網点画像データが、プリンタ６０の解像度で、その解像度よりも高いターゲットシステム３００の解像度を再現するために、変換後の網点画像データには、「０」と「１００」以外の網パーセントも含まれるようになる。
【００３５】
そして、解像度変換後の網点画像データに、上記のターゲット色空間と、パーソナルコンピュータ８０とプリンタ６０とからなる画像再現システム４００に依存したＣＭＹＫ色空間（以後、出力色空間と呼ぶ）との間の等色関係を定義したデバイスリンクプロファイル（本発明にいう色変換定義の一例に相当）を用いた等色変換が施される。この等色変換によって得られた画像データは、変換前の網点画像データが表わしていた網点構造が維持されたまま、色が上記の出力色空間で定義された、ＣＭＹＫ４色それぞれの「０」〜「２５５」の２５６階調のデバイス値からなる網点画像データである。
【００３６】
以上に説明した一連の処理を経て最終的に得られたプルーフ用の網点画像データ（以後、変換網点画像データと呼ぶ）が、パーソナルコンピュータ８０からプリンタ６０に渡され、この変換網点画像データに基づいて、プリンタ６０から、印刷画像４１が、色も含めて再現されたプルーフ画像６１が出力される。ここで、上記の画像再現システム４００が本発明にいう画像再現システムの一例に相当し、上記の出力色空間が本発明にいう再現色空間の一例に相当する。
【００３７】
ここで、上記の等色変換に使われるデバイスリンクプロファイルは、パーソナルコンピュータ８０において、まず基本デバイスリンクプロファイルを作成し、この基本デバイスリンクプロファイルに、変換網点画像データに基づいて画像再現システム４００から出力されるプルーフ画像６１の色が、上記の印刷画像４１の色に近づくような後述の修正を施すことによって求められる。そして、上記の基本デバイスリンクプロファイルの作成と、その基本デバイスリンクプロファイルに対する修正には、分光測色計７０によって後述のチャート用紙上の画像を測色することによって得られる測色値が用いられる。
【００３８】
図２は、図１にブロックで示す分光測色計およびパーソナルコンピュータの外観斜視図、図３は、そのパーソナルコンピュータのハードウェア構成図、また、図４は、カラーチャートの一例を示す模式図である。
【００３９】
図２に示すように、パーソナルコンピュータ８０にケーブル７５で接続された分光測色計７０には、以下に説明するカラーチャートが形成されたチャート用紙Ｐが乗せられる。分光測色計７０では、このチャート用紙Ｐ上のカラーチャートが測色されて、システムに非依存なＸＹＺ測色色空間で色を定義した測色値が取得され、この測色値がケーブル７５を介してパーソナルコンピュータ８０に送られる。
【００４０】
図４に示すカラーチャート９０は、互いに階調が等しいＣＭＹ３色でグレーの階調が表わされた、互いに階調が異なる複数のパッチ９１ａが配列されたＣＭＹチャート画像９１と、Ｋ１色でグレーの階調が表わされた、互いに階調が異なる複数のパッチ９２ａが配列されたＫチャート画像９２と、ＣＭＹＫ４色で色が表わされた、互いに色が異なる複数のパッチ９３ａが配列されたカラーチャート画像９３とからなる。このカラーチャート９０のうち、ＣＭＹチャート画像９１とＫチャート画像９２とを合わせたものが、本発明にいうチャート画像の一例に相当する。
【００４１】
ここで、上記のＣＭＹチャート画像９１とＫチャート画像９２とにおいて、それぞれのチャート画像を構成する複数のパッチは、所定刻みで階調が変化するように配列されている。そして、ＣＭＹチャート画像９１とＫチャート画像９２とでは、このパッチの配列が表わしている階調の変化が互いに一致している。
【００４２】
パーソナルコンピュータ８０は、図２に示すように、外観構成上、本体装置８１、その本体装置８１からの指示に応じて表示画面８２ａ上に画像を表示する画像を表示する画像表示装置８２、キー操作に応じた各種の情報を本体装置８１に入力するキーボード８３、および、表示画面８２ａ上の任意の位置を指定することにより、その位置に表示された、例えばアイコン等に応じた指示を本体装置８１に入力するマウス８４を備えている。また、本体装置８１は、フレキシブルディスク（ＦＤ）を装填するためのＦＤ装填口８１ａ、およびＣＤ−ＲＯＭを装填するためのＣＤ−ＲＯＭ装填口８１ｂを有している。
【００４３】
本体装置８１の内部には、図３に示すように、各種プログラムを実行するＣＰＵ８１１、ハードディスク装置８１３に格納されたプログラムが読み出されＣＰＵ８１１での実行のために展開される主メモリ８１２、各種プログラムやデータ等が保存されたハードディスク装置８１３、フレキシブルディスク１００が装填され、その装填されたフレキシブルディスク１００をアクセスするＦＤドライブ８１４、ＣＤ−ＲＯＭ１０１やＣＤ−Ｒが装填され、その装填されたＣＤ−ＲＯＭ１０１等をアクセスするＣＤドライブ８１５、分光測色計７０（図１，図２参照）と接続され、分光測色計７０から測色値を受け取るＩ／Ｏインタフェース８１６が内蔵されており、これらの各種要素、画像表示装置８２、キーボード８３、マウス８４は、バス８５を介して相互に接続されている。
【００４４】
上述したように、このパーソナルコンピュータ８０は、上記のデバイスリンクプロファイルを作成する機能と、デバイスリンクプロファイルを修正する機能と、デバイスリンクプロファイルを使って網点画像データを変換網点画像データに変換する機能とを有している。ＣＤ−ＲＯＭ１０１には、このパーソナルコンピュータ８０にこれらの各種機能を発揮させる、本発明の色修正プログラムの一実施形態が組み込まれた色修正機能付色変換プログラムが記憶されており、そのＣＤ−ＲＯＭ１０１に記憶された色修正機能付色変換プログラムがこのパーソナルコンピュータ８０にアップロードされてハードディスク装置８１３に記憶される。そして、この色修正機能付色変換プログラムが実行されることによってパーソナルコンピュータ８０は上記の各種機能を発揮する、本発明の色修正装置の一実施形態であるが組み込まれた色修正機能付色変換装置として動作する。
【００４５】
続いて、上記の色修正機能付色変換プログラムについて説明する。
【００４６】
図５は、本発明の色修正プログラムの一実施形態が組み込まれた色修正機能付色変換プログラムが記憶されたＣＤ−ＲＯＭを示す概念図である。
【００４７】
図５に示す色修正機能付色変換プログラム２００は、プロファイル作成部２１０と、色変換部２２０と、第１の測色値入手部２３０と、第２の測色値入手部２４０と、ドットゲイン差算出部２５０と、色修正部２６０と、再処理制御部２７０と、色修正保存部２８０と、色修正選択部２９０とで構成されている。
【００４８】
色修正機能付色変換プログラム２００の各部の細部については、本発明の色修正装置の一実施形態が組み込まれた色修正機能付色変換装置の各部の作用と併せて説明する。
【００４９】
次に、色修正機能付色変換装置として動作している状態にあるパーソナルコンピュータ８０について説明する。ここで、以下では、この状態にあるパーソナルコンピュータ８０を色修正機能付色変換装置と呼び、符合を付して説明する。
【００５０】
図６は、本発明の色修正装置の一実施形態が組み込まれた色修正機能付色変換装置の機能ブロック図である。
【００５１】
図６に示す色修正機能付色変換装置５００は、プロファイル作成部５１０と、色変換部５２０と、第１の測色値入手部５３０と、第２の測色値入手部５４０と、ドットゲイン差算出部５５０と、色修正部５６０と、再処理制御部５７０と、色修正保存部５８０と、色修正選択部５９０とで構成されている。ここで、上記の色変換部５２０を除く、プロファイル作成部５１０と第１の測色値入手部５３０と第２の測色値入手部５４０とドットゲイン差算出部５５０と色修正部５６０と再処理制御部５７０と色修正保存部５８０と色修正選択部５９０とを合せたものが、本発明の色修正装置の一実施形態に相当する。また、第１の測色値入手部５３０、第２の測色値入手部５４０、ドットゲイン差算出部５５０、色修正部５６０、再処理制御部５７０、色修正保存部５８０、および色修正選択部５９０は、それぞれ本発明にいう、第１の測色値入手部、第２の測色値入手部、ドットゲイン差算出部、色修正部、再処理制御部、色修正保存部、および色修正選択部の各一例に相当する。
【００５２】
図５に示す色修正機能付色変換プログラム２００を図１〜図３に示すパーソナルコンピュータ８０にインストールすると、色修正機能付色変換プログラム２００のプロファイル作成部２１０は図５に示すプロファイル作成部５１０を構築し、同様に、色変換部２２０は色変換部５２０を構成し、第１の測色値入手部２３０は第１の測色値入手部５３０を構築し、第２の測色値入手部２４０は第２の測色値入手部５４０を構築し、ドットゲイン差算出部２５０はドットゲイン差算出部５５０を構築し、色修正部２６０は色修正部５６０を構築し、再処理制御部２７０は再処理制御部５７０を構築し、色修正保存部２８０は色修正保存部５８０を構築し、色修正選択部２９０は色修正選択部５９０を構築する。
【００５３】
上述したように、この色修正機能付色変換装置５００では、上述のターゲット色空間と上述の出力色空間との間の等色関係を定義した基本デバイスリンクプロファイルの作成処理と、その基本デバイスリンクプロファイルに対する修正処理とが実行される。
【００５４】
以下では、まず、基本デバイスリンクプロファイルの作成処理を、この処理に関わる要素と共に説明する。
【００５５】
この処理の実行に当たっては、処理に必要なデータが、次の手順で用意される。
【００５６】
図１に示すワークステーション２０の図示しないメモリには、各パッチの色がターゲット色空間で定義されたカラーチャート９０を、ＣＭＹＫ４色の網パーセントのさまざまな組合せで定義されたチャートデータが格納されている。ターゲットシステム３００では、チャートデータに基づいて、各パッチの色がターゲット色空間で定義されたカラーチャート９０を網点で表現した網点チャート画像が出力される。そして、この網点チャート画像が、オペレータによって分光測色計７０にセットされる。
【００５７】
次に、色修正機能付色変換装置５００として動作するパーソナルコンピュータ８０に対するオペレータの操作によって、表示画面８２ａ上に分光測色計７０に対して測色を指示する図示しない指示画面が表示される。この指示画面において、上記のターゲット色空間と上記のＸＹＺ測色色空間との間の等色関係を定義したターゲットプロファイルを作成するための測色が指示されると、分光測色計７０にセットされた網点チャート画像が、分光測色計７０によって測色され、ＸＹＺ測色色空間で色を定義した測色値（以降、第１の測色値Ｄ１と呼ぶ）が求められ、図２に示すケーブル７５を介してパーソナルコンピュータ８０に送られる。パーソナルコンピュータ８０では、この測色値に基づいて、所定のプロファイル作成プログラムによってターゲットプロファイルが作成され、そのターゲットプロファイルが、上記の第１の測色値Ｄ１と共にパーソナルコンピュータ８０内の図示しない記憶部に記憶される。
【００５８】
一方、パーソナルコンピュータ８０における上記の図示しないメモリには、各パッチの色が出力色空間で定義されたカラーチャート９０を、ＣＭＹＫ４色それぞれの「０」〜「２５５」のデバイス値で表わすプリンタ用チャートデータが格納されている。このプリンタ用チャートデータが直接にプリンタ６０に入力され、プリンタ６０は、プリンタ用チャートデータに基づくコントーンのチャート画像を出力する。そして、このコントーンのチャート画像が、分光測色計７０にセットされる。
【００５９】
次に、上記の指示画面において、上記の出力色空間とＸＹＺ測色色空間との間の等色関係を定義した出力デバイスプロファイルを作成するための測色が指示されると、分光測色計７０にセットされたコントーンのチャート画像が、分光測色計７０によって測色され、ＸＹＺ測色色空間で色を定義した測色値が求められ、図２に示すケーブル７５を介してパーソナルコンピュータ８０に送られる。そして、パーソナルコンピュータ８０において、この測色値に基づいて、上記のプロファイル作成プログラムによって出力デバイスプロファイルが作成され、その出力デバイスプロファイルも上記の図示しない記憶部に記憶される。
【００６０】
本実施形態では、上記のターゲットプロファイルおよび出力デバイスプロファイルが、以下に説明する操作画面に対するオペレータの操作を受けて、上記の図示しない記憶部から読み出されて、図６に示すプロファイル作成部５１０に入力される。
【００６１】
図９は、操作画面を示す図である。
【００６２】
図９に示す操作画面６００は、本実施形態の色修正機能付色変換装置５００として動作しているパーソナルコンピュータ８０の表示画面８２ａ上に表示される。
【００６３】
この操作画面６００には、上記のターゲットプロファイルに対応するファイル名を選択するターゲットプロファイル選択部６０１と、上記の出力デバイスプロファイルに対応するファイル名を選択する出力デバイスプロファイル選択部６０２と、デバイスリンクプロファイルの作成実行を指示するプロファイル作成実行ボタン６０３とを備えている。
【００６４】
ターゲットプロファイル選択部６０１は、オペレータに操作される選択ボタン６０１ｂを有している。オペレータがこの選択ボタン６０１ｂを操作すると、図示しないメニュー画面が表示され、そのメニュー画面に、現在記憶されているターゲットプロファイルに対応するファイル名が全て表示される。そして、オペレータが所望のファイル名の位置にカーソルを合わせ選択ボタン６０１ｂを操作することにより、その所望のファイル名に対応するターゲットプロファイルが選択される。選択されたターゲットプロファイルに対応するファイル名は、ターゲットプロファイル選択部６０１が有している表示部６０１ａに表示される。
【００６５】
出力デバイスプロファイル選択部６０２も、ターゲットプロファイル選択部６０１と同様に、表示部６０２ａと選択ボタン６０２ｂとを有しており、オペレータの操作を受けて、所望のファイル名に対応する出力デバイスプロファイルが選択される。
【００６６】
以上の操作によって選択された２種類のプロファイルは、オペレータによってプロファイル作成実行ボタン６０３が操作されると、図６のプロファイル作成部５１０に入力され、基本デバイスリンクプロファイルの作成に用いられる。
【００６７】
図７は、図６に示すプロファイル作成部で実行される、基本デバイスリンクプロファイルの作成処理を示すフローチャートである。
【００６８】
この処理は、図９に示す操作画面６００において、オペレータによってプロファイル作成実行ボタン６０３が操作されるとスタートする。
【００６９】
上述のように、この処理がスタートすると、図６のプロファイル作成部５１０にターゲットプロファイルが入力され（ステップＳ１０１）、さらに出力デバイスプロファイルが入力される（ステップＳ１０２）。そして、これら２種類のプロファイルが、ＸＹＺ測色色空間を介して結合されることにより、ターゲット色空間と出力色空間との間の等色関係を定義した基本デバイスリンクプロファイルが作成され（ステップＳ１０３）、この基本デバイスリンクプロファイルの作成処理が終了する。作成された基本デバイスリンクプロファイルは、図６の色修正部５６０に渡される。
【００７０】
再び、図６に戻って説明を続ける。
【００７１】
このように、ターゲットプロファイルＴＰと出力デバイスプロファイルＰＰとからプロファイル作成部５１０によって作成された基本デバイスリンクプロファイルＦ１は、色修正部５６０に送られ、この色修正部５６０で後述の修正が施され、修正済デバイスリンクプロファイルＦ２が色変換部５２０に送られる。色変換部５２０では、この修正済デバイスリンクプロファイルＦ２を用いた色変換が行なわれる。以下では、色修正部５６０で行なわれる基本デバイスリンクプロファイルＦ１の修正については後に回し、先に、色変換部５２０で行なわれる色変換について説明する。
【００７２】
上述したように、図１に示すワークステーション２０では、ターゲット色空間で色が定義された画像を網点で表現した網点画像を「０」と「１」の２階調で表わす網点画像データＤ３が作成される。ワークステーション２０は、この網点画像データＤ３を、フィルムプリンタ３０に送ると共に、図６に示す色修正機能付色変換装置５００の色変換部５２０に送る。色変換部５２０は、この網点画像データＤ３を、「０」と「１００」の網パーセントで網点画像を表わす網点画像データに翻訳し、その翻訳後の網点画像データに解像度変換を施し、解像度変換後の網点画像データに修正済デバイスリンクプロファイルＦ２を用いた等色変換を施して、最終的に図１に示すプリンタ６０に渡す「０」〜「２５５」のデバイス値で網点画像を表わす変換網点画像データＤ４を作成する。そして、この変換網点画像データＤ４に基づく、印刷物が色も含めて再現されたプルーフ画像がプリンタ６０から出力される。
【００７３】
図８は、図６に１つのブロックで示す色変換部の詳細を示すブロック図である。
【００７４】
色変換部５２０は、二値多値変換部５２１と、解像度変換部５２２と、等色変換部５２３とを備えている。
【００７５】
「０」と「１」の２階調で網点画像を表わす網点画像データＤ３は、二値多値変換部５２１に入力され、「０」と「１００」の網パーセントで網点画像を表わす網点画像データＤ３’に翻訳される。この翻訳後の網点画像データＤ３’は解像度変換部５２２に送られる。
【００７６】
解像度変換部５２２では、ターゲットシステム３００の解像度に対応した上記の網点画像データＤ３’が、プリンタ６０の解像度に対応した網点画像データＤ３’’に変換される。上述したように変換された網点画像データＤ３’’には、「０」と「１００」以外の網パーセントも含まれるようになる。この網点画像データＤ３’’は等色変換部５２３に送られる。
【００７７】
上述したように、等色変換部５２３には、図６に示す色修正部５６０から修正済デバイスリンクプロファイルＦ２が送られる。等色変換部５２３は、この修正済デバイスリンクプロファイルＦ２を使って、「０」〜「１００」の網パーセントからなる網点画像データＤ３’’に等色変換を施す。この等色変換は、網点画像が有する網点構造よりも微細な画素単位で行なわれる。これにより、最終的にプリンタ６０に渡される、「０」〜「２５５」のデバイス値からなる変換網点画像データＤ４が得られる。
【００７８】
次に、基本デバイスリンクプロファイルＦ１の修正処理を、この処理に関わる要素と共に説明する。
【００７９】
この処理の実行に当たっては、処理に必要なデータが、次の手順で用意される。
【００８０】
図１に示すターゲットシステム３００では、カラーチャート９０を網点で表現した網点チャート画像を出力する際に、この網点チャート画像を表わす網点チャートデータＤ５が作成される。この網点チャートデータＤ５は、上記の修正処理に用いるために、図６に示す色変換部５２０に入力される。網点チャートデータＤ５は、色変換部５２０によって、基本デバイスリンクプロファイルＦ１をそのまま利用した色変換処理を施され、出力色空間で色が定義された変換網点チャートデータＤ６に変換される。この変換網点チャートデータＤ６が図１に示すプリンタ６０に入力され、このプリンタ６０から、この変換網点チャートデータＤ６に基づく網点チャート画像が出力される。そして、この網点チャート画像が、オペレータによって分光測色計７０にセットされる。次に、上記の測色を指示する図示しない指示画面において色修正のための測色が指示されると、この網点チャート画像が測色されて色修正用の測色値（以降、第２の測色値Ｄ２と呼ぶ）が求められる。この第２の測色値Ｄ２は、図２に示すケーブル７５を介して、この色修正機能付色変換装置５００として動作するパーソナルコンピュータ８０に送られ、このパーソナルコンピュータ８０内の図示しない記憶部に記憶される。
【００８１】
この第２の測色値Ｄ２は、上述した図９に示す出力デバイスプロファイル選択部６０２に対する操作を受けて、上記の図示しない記憶部から読み出されて第２の測色値入手部５４０に入手される。
【００８２】
ここで、上記の第２の測色値Ｄ２が示す網点チャート画像の色は、上記の基本デバイスリンクプロファイルＦ１を使った等色変換によって、印刷物の色が、網点構造を構成する画素単位では色が一致しているにも関わらず、人間には両者の色が異なって見えてしまう。この現象の主な原因は、図１に示すターゲットシステム３００のドットゲインと画像再現システム４００のドットゲインが互いに異なっていることにある。そこで、本実施形態では、まず、両システム間のドットゲインの差を算出し、このドットゲインの差に基づいた修正処理を基本デバイスリンクプロファイルＦ１に施す。
【００８３】
図９に示す操作画面６００には、デバイスリンクプロファイルの修正処理の実行を指示する修正実行ボタン６０４が備えられており、オペレータによってこの修正実行ボタン６０４が操作されると、その操作を受けて修正処理が実行される。
【００８４】
まず、上記の第２の測色値Ｄ２が、第２の測色値入手部５４０によって上記の図示しない記憶部から読み出されて、ドットゲイン差算出部５５０に送られる。また、第１の測色値入手部５３０によって上述の第１の測色値Ｄ１が上記の図示しない記憶部から読み出され、このドットゲイン差算出部５５０に送られる。
【００８５】
ここで、操作画面６００には、後述の重み係数を設定する重み係数設定部６０５が備えられており、上記の基本デバイスリンクプロファイルＦ１に修正を施す場合には、この重み係数設定部６０５が有するカーソル６０５ａが「１」に合わされて、重み係数が「１」に設定された状態で、修正実行ボタン６０４が操作される。
【００８６】
ドットゲイン差算出部５５０は、上記の２種類の測色値Ｄ１，Ｄ２を用いて、上記の両システム間のドットゲインの差Ｄ７を算出する。ここで、このドットゲインの差Ｄ７は、各測色値における、図４に示すカラーチャート９０のＣＭＹチャート画像９１とＫチャート画像９２とに相当する測色値について算出される。さらに、このドットゲインの差は、上記のチャート画像９１，９２の各パッチについて求められる。求められたドットゲインの差Ｄ７は色修正部５６０に送られる。
【００８７】
色修正部５６０では、まずドットゲインの差Ｄ７が、上記の重み係数設定部６０５で設定された重み係数「１」で重み付けを施される。そして、基本デバイスリンクプロファイルＦ１による等色変換後の「０」〜「２５５」のデバイス値からなる画像データを修正するための、修正前のデバイス値と修正後のデバイス値との対応関係を示す修正カーブが、上記の重み付けされたドットゲインの差Ｄ７に基づいてＣＭＹＫ各色毎に算出される。色修正部５６０では、この修正カーブを基本デバイスリンクプロファイルＦ１に反映することによって、修正済デバイスリンクプロファイルＦ２が作成される。ここで、基本デバイスリンクプロファイルＦ１は、ターゲット色空間と出力色空間との間におけるＣＭＹＫ４色の基本的な等色関係を表わす４次元のＬＵＴ（Ｌｏｏｋ  Ｕｐ  Ｔａｂｌｅ）と、その前段および後段にＣＭＹＫ各色の調整用にＣＭＹＫ各色毎に設けられた１次元のＬＵＴとで構成されている。本実施形態では、この基本デバイスリンクプロファイルＦ１に対する上記の修正カーブの反映は、ＣＭＹＫ各色毎の修正カーブが、それぞれの色に対応する上記の後段の１次元のＬＵＴに組み込まれることによって行なわれる。尚、基本デバイスリンクプロファイルＦ１に対する修正カーブの反映方法は、この後段の１次元のＬＵＴへの組込みに限られるものではなく、例えば、前段の１次元のＬＵＴへの組込みによって基本デバイスリンクプロファイルＦ１に修正カーブを反映するという方法であっても良い。
【００８８】
以上のように求められた修正済デバイスリンクプロファイルＦ２は、上記の色変換部５２０に渡され、上記の修正カーブは色修正保存部５８０に送られて保存される。
【００８９】
ここで、上記の修正カーブは、図９に示す操作画面に次のように表示される。
【００９０】
図９に示す操作画面６００には、横軸に修正前のＣＭＹＫいずれかの「０」〜「２５５」のデバイス値がとられ、縦軸に横軸に対応する色の修正後の「０」〜「２５５」のデバイス値がとられ、修正前後の対応関係を示す修正カーブが表示される修正カーブ表示部６０６が備えられている。また、この修正カーブ表示部６０６はＣＭＹＫ切替えボタン６０６ａを有しており、このＣＭＹＫ切替えボタン６０６ａで選択された色に対応する修正カーブが表示される。
【００９１】
図９には、上述の修正処理で求められた修正カーブＬ２がグラフ上に示されている。ここで、図９の修正カーブ表示部６０６に点線で示されているラインは、「０」の修正量に対応する初期カーブＬ１である。
【００９２】
以上のように、ドットゲイン差算出部５５０と色修正部５６０とによる処理によって修正済デバイスリンクプロファイルＦ２が求められ、このデバイスリンクプロファイルＦ２が色変換部５２０に組み込まれる。
【００９３】
続いて、本実施形態では、色修正部５６０で行なわれた修正の効果が次のように確認される。この効果の確認のために、次のようなデータが取得される。
【００９４】
まず、色変換部５２０で、この修正済デバイスリンクプロファイルＦ２を用いた等色変換によって変換網点チャートデータＤ６’が作成される。さらに、この変換網点チャートデータＤ６’に基づく網点チャート画像に対する測色によって新たな第２の測色値Ｄ２’が取得され、上記の図示しない記憶部に記憶される。
【００９５】
そして、図９に示す操作画面６００の出力デバイスプロファイル選択部６０２において、上記の新たな第２の測色値Ｄ２’に対応するファイル名が選択されると、この第２の測色値Ｄ２’が第２の測色値入手部５４０に入手される。
【００９６】
図９に示す操作画面６００には、修正効果の確認の実行を指示する効果確認実行ボタン６０７が備えられており、オペレータによってこの効果確認実行ボタン６０７が操作されると、第２の測色値入手部５４０から再処理制御部５７０に上記の新たな第２の測色値Ｄ２’が送られる。
【００９７】
再処理制御部５７０には、第１の測色値入手部５３０から上記の第１の測色値Ｄ１も送られて来、これら２種類の測色値Ｄ２’，Ｄ１それぞれから、ターゲットシステム３００側の網点チャート画像の各パッチの色と、画像再現システム４００側の網点チャート画像の各パッチの色との色差が求められ、求められた複数の色差から、平均色差と最大色差とが求められる。ここで、この色差は、図４に示すカラーチャート９０に含まれる、ＣＭＹチャート画像９１、Ｋチャート画像９２、およびカラーチャート画像９３という全ての画像のパッチについて求められる。これらの値は図示しないメモリに保存されると共に、図９に示す操作画面６００に次のように表示される。
【００９８】
図に示す操作画面６００には、上記の平均色差と最大色差とを表示する修正効果表示部６０８が備えられている。この修正効果表示部６０８には、後述の修正回数が表示される回数表示部６０８ａと、平均色差が表示される平均色差表示部６０８ｂと、最大色差が表示される最大色差表示部６０８ｃとを有している。本実施形態では、上述した、基本デバイスリンクプロファイルＦ１に対する修正処理が１回目の修正処理に当たる。図９には、この１回目の修正処理に対応する欄に、一例として、平均色差「４．５」と最大色差「１０．２」とが示されている。
【００９９】
このように１回目の修正処理と、その効果の確認が終了すると、再び、修正実行ボタン６０４が操作されて、上記の修正済デバイスリンクプロファイルＦ２対する２回目の修正処理が実行される。
【０１００】
即ち、上記の新たな第２の測色値Ｄ２’が、ドットゲイン差算出部５５０に送られ、この測色値Ｄ２’から、新たなドットゲインの差Ｄ７’、１回目の修正済デバイスリンクプロファイルＦ２に対する修正カーブ（２回目の修正カーブ）、２回目の修正済デバイスリンクプロファイルＦ２’、２回目の変換網点チャートデータＤ６’’、および２回目の網点チャート画像が順次に作成される。そして、上記の２回目の修正カーブが色修正保存部５８０に保存され、図９に示す修正カーブ表示部６０６にはこの２回目の修正カーブＬ３が表示される。続いて、２回目の網点チャート画像を測色して得られた２回目の測色値Ｄ２’’が取得されると、出力デバイスプロファイル選択部６０２が再び操作され、この２回目の測色値Ｄ２’’が第２の測色値入手部５４０に入手され、さらに効果確認実行ボタン６０７が操作されてその確認結果が図９に示す修正効果表示部６０８に表示される。図９には、この２回目の修正処理に対応する欄に、一例として、平均色差「３．８」と最大色差「９．８」とが示されている。
【０１０１】
以上に説明した、第２の測色値入手部５４０、ドットゲイン差算出部５５０、色修正部５６０、色変換部５２０、および再処理制御部５７０における処理は、再処理制御部５７０において、今回の平均色差と最大色差との両方が、前回の平均色差と最大色差よりも大きくなるまで繰返し実行される。また、処理で求められる平均色差と最大色差とがそれぞれ徐々に小さくなると、これらの色差に応じて上記の重み係数も近い小さな値に設定される。本実施形態では、重み係数をこのように操作することによって、修正カーブが微調整され、デバイスリンクプロファイルが高精度で修正される。
【０１０２】
そして、今回の平均色差と最大色差との両方が、前回の平均色差と最大色差よりも大きくなると、前回の修正処理で得られた修正カーブが、図９に示す操作画面６００に対するオペレータによる次の操作を受けて、色修正選択部５９０によって選択される。
【０１０３】
まず、図９に示す修正効果表示部６０８の回数表示部６０８ａにおける前回の回数にカーソルが合わせられる。操作画面６００には、修正カーブの選択を指示する修正カーブ選択ボタン６０９が備えられており、オペレータがこの修正カーブ選択ボタン６０９を操作することによって、カーソルによって指定された前回の修正カーブが選択される。また、操作画面６００には、修正カーブの取り消しを指示する修正カーブ取り消しボタン６１０が備えられており、例えば選択されない他の回数の修正カーブ等といった、色修正保存部５８０内の消去対象の修正カーブを、各修正カーブにカーソルを合わせて修正カーブ取り消しボタン６１０を操作することにより選択することができる。このような選択あるいは取り消し操作の内容は、確認のためにオペレータに対して示される。また、操作画面６００には、以上に説明したようなオペレータによる選択あるいは取り消し操作の内容を最終的に承認するためのＯＫボタン６１１と、上記の選択あるいは取り消し操作を全てキャンセルするためのキャンセルボタン６１２とが備えられている。
【０１０４】
上記のような選択あるいは取り消し操作が終了して、上記のＯＫボタン６１１が操作されると、図６に示す色修正選択部５９０は、上記の選択操作によって選ばれた修正カーブを、最終的な修正カーブとして色修正部５６０に送る。また、消去対象の修正カーブがある場合には、その修正カーブが色修正保存部５８０内から消去される。
【０１０５】
色修正部５６０では、この最終的な修正カーブによる修正が行なわれ、これによって得られた最終的なデバイスリンクプロファイルＦが色変換部５２０に送られる。色変換部５２０では、この時点で組み込まれていたデバイスリンクプロファイルが上記の最終的なデバイスリンクプロファイルＦに置き換えられる。
【０１０６】
以上、色修正装置の各要素の動作として説明した色修正処理を、以下ではフローチャートにまとめて総括的に説明する。
【０１０７】
図１０は、基本デバイスリンクプロファイルの修正処理を示すフローチャートである。
【０１０８】
この修正処理は、修正実行ボタン６０４がオペレータによって操作されるとスタートする。処理がスタートすると、まず、ターゲットシステム３００のドットゲインが上記の第１の測色値Ｄ１から次のように算出される（ステップＳ２０１）。
【０１０９】
ここで第１の測色値Ｄ１のうち、図４に示すＣＭＹチャート画像９１の各パッチに対応するＸＹＺそれぞれの測色値をＸ，Ｙ，Ｚとし、最もハイライト側のパッチに対応するＸＹＺそれぞれの測色値をＸ0，Ｙ0，Ｚ0とし、最もシャドウ側のパッチに対応するＸＹＺそれぞれの測色値をＸ100，Ｙ100，Ｚ100とすると、ターゲットシステム３００におけるＣＭＹ３色それぞれに対応するドットゲインａｔc，ａｔm，ａｔyはそれぞれ次の式で表わされる。
【０１１０】
ａｔc＝（Ｘ−Ｘ0）／（Ｘ100−Ｘ0）  ……（１）
ａｔm＝（Ｙ−Ｙ0）／（Ｙ100−Ｙ0）  ……（２）
ａｔy＝（Ｚ−Ｚ0）／（Ｚ100−Ｚ0）  ……（３）
また、第１の測色値Ｄ１のうち、図４に示すＫチャート画像９２の各パッチに対応するＹの測色値をＹkとし、最もハイライト側のパッチに対応するＹそれぞれの測色値をＹk0とし、最もシャドウ側のパッチに対応するＹの測色値をＹk100とすると、Ｋに対応するドットゲインａktは次の式で表わされる。
【０１１１】
ａｔk＝（Ｙk−Ｙk0）／（Ｙk100−Ｙk0）  ……（４）
ここで、最もハイライト側のパッチおよび最もシャドウ側のパッチそれぞれに対応する測色値に付された沿え字「０」および「１００」は、ＣＭＹチャート画像９１では、それぞれのパッチの色をＣＭＹそれぞれの網パーセントの組で表現すると（０，０，０）および（１００，１００，１００）で表わされ、Ｋチャート画像９２では、（０）および（１００）で表わされることに由来する。
【０１１２】
次に、上記の（１）〜（４）式と同様の式によって、画像再現システム４００のＣＭＹＫ４色それぞれのドットゲインａｐc，ａｐm，ａｐy，ａｐkが上記の第２の測色値Ｄ２から算出される（ステップＳ２０２）。さらに上記の第１の測色値Ｄ１および第２の測色値Ｄ２から、図４に示すＣＭＹチャート画像９１、Ｋチャート画像９２、およびカラーチャート画像９３の各パッチ毎に、ターゲットシステム３００から出力された網点チャート画像の色度と画像再現システム４００から出力された網点チャート画像の色度との間の色差が求められ、さらにそれら各パッチ毎の色差から平均色差と最大色差とが算出される（ステップＳ２０３）。
【０１１３】
続いて、今回の修正処理が１回目の処理であるか否かが判定される（ステップＳ２０４）。
【０１１４】
今回の修正処理が２回目以後の処理である場合（ステップＳ２０３の処理におけるＮｏ判定）には、図９に示す修正効果表示部６０８において、今回の修正処理で得られた平均色差と最大色差とが共に、前回の修正処理で得られた平均色差と最大色差よりも小さいか否かがオペレータによって比較される（ステップＳ２０５）。一方、今回の修正処理が１回目の処理である場合（ステップＳ２０３の処理におけるＹｅｓ判定）には、上記のステップＳ２０５の処理を飛ばして次の処理（ステップＳ２０６）に進む。
【０１１５】
上記のステップＳ２０５の処理において、今回の平均色差と最大色差とが共に、前回の平均色差と最大色差よりも小さいとオペレータによって判定された場合（ステップＳ２０５におけるＹｅｓ判定）、次の処理（ステップＳ２０６）に進む。一方、今回の平均色差と最大色差とが共に、前回の平均色差と最大色差以上であるとオペレータによって判定された場合（ステップＳ２０５におけるＮｏ判定）には、前回の修正処理における、後述のステップＳ２０６以後の処理で求められた前回の修正カーブが選択され、その修正カーブによって修正された最終的なデバイスリンクプロファイルが色変換部５２０に組み込まれ（ステップＳ２１４）、基本デバイスリンクプロファイルの修正処理を終了する。
【０１１６】
ステップＳ２０６の処理に進んだ場合には、上記のターゲットシステム３００のドットゲインａｔc，ａｔm，ａｔy，ａktと、画像再現システム４００のドットゲインａｐc，ａｐm，ａｐy，ａｐkとから、ドットゲインの差Δａc，Δａm，Δａy，Δａk，が次のように求められる。
【０１１７】
Δａc＝ａｐc−ａｔc  ……（５）
Δａm＝ａｐm−ａｔm  ……（６）
Δａy＝ａｐy−ａｔy  ……（７）
Δａk＝ａｐk−ａｔk  ……（８）
次に、上記のドットゲインの差に、図９に示す重み係数設定部６０５に対する操作によって設定された重み係数ｗが乗じられて修正量が算出される（ステップＳ２０７）。そして、この修正量が、前回の修正カーブに加算されることにより次のように今回の修正カーブが求められる（ステップＳ２０８）。
【０１１８】
まず、図４に示すＣＭＹチャート画像９１およびＫチャート画像９２の各パッチの階調に対応する、修正前のＣＭＹＫ４色それぞれのデバイス値をＣｉ，Ｍｉ，Ｙｉ，Ｋｉとすると、修正後のＣＭＹＫ４色それぞれのデバイス値Ｃｏｕｔ，Ｍｏｕｔ，Ｙｏｕｔ，Ｋｏｕｔは次の式で求められる。
【０１１９】
Ｃｏｕｔ＝Ｃｉ＋ｗ×Δａc  ……（９）
Ｍｏｕｔ＝Ｍｉ＋ｗ×Δａm  ……（１０）
Ｙｏｕｔ＝Ｙｉ＋ｗ×Δａy  ……（１１）
Ｋｏｕｔ＝Ｋｉ＋ｗ×Δａk  ……（１２）
そして、各パッチの階調毎に求められた修正前後のデバイス値の組（Ｃｉ，Ｃｏｕｔ），（Ｍｉ，Ｍｏｕｔ），（Ｙｉ，Ｙｏｕｔ），（Ｋｉ，Ｋｏｕｔ）から得られる多項式近似曲線を修正前後の網パーセントの対応関係を示す修正カーブとする。ここで、今回の修正処理が１回目の修正処理である場合には、図９に示す、「０」の修正量に対応する初期カーブＬ１に加算されることにより１回目の修正カーブＬ２が求められる。
【０１２０】
続いて、上記のように求められた修正カーブが、色修正保存部に保存され（ステップＳ２０９）、この修正カーブを用いて修正された修正済デバイスリンクプロファイルが色変換部５２０に組み込まれ（ステップＳ２１０）、この色変換部５２０において、網点チャートデータが変換網点チャートデータに変換される（ステップＳ２１１）。さらに、変換網点チャートデータに基づく網点チャート画像が画像再現システム４００から出力され（ステップＳ２１２）、その網点チャート画像が測色されて新たな測色値が取得される（ステップＳ２１３）。ステップＳ２１３の処理が終了すると、ステップＳ２０２の前まで戻り、この新たな測色値を用いた、画像再現システム４００のドットゲインの算出が実行される。その後、上記のステップＳ２０２〜ステップＳ２１３の処理は、ステップＳ２０５の処理において、今回の平均色差と最大色差とが共に、前回の平均色差と最大色差以上であるとオペレータによって判定されるまでの間繰り返され、最終的に平均色差と最大色差とが共に最小となる修正カーブが求められて、その修正カーブによって修正されたデバイスリンクプロファイルが色変換部５２０に組み込まれる。
【０１２１】
以上に説明した処理は、デバイスリンクプロファイルを作成して、そのデバイスリンクプロファイルを修正する修正カーブを作成することによって、最終的に色変換部５２０に組み込まれる修正済デバイスリンクプロファイルを求めるという処理であるが、本実施形態では、以下に説明するように、既に作成され色修正保存部５８０に保存されているデバイスリンクプロファイルや修正カーブを読み出すことによって最終的な修正済デバイスリンクプロファイルを求めることもできる。
【０１２２】
図９に示す操作画面には、このようなデバイスリンクプロファイルや修正カーブを読み出すための既存ファイル選択ボタン６１３が備えられている。オペレータによって、この既存ファイル選択ボタン６１３が操作されると、次のような既存ファイル選択のための操作画面が表示される。
【０１２３】
図１１は、既存ファイル選択のための操作画面を示す図である。
【０１２４】
図１１に示す操作画面７００には、図６に示す色修正保存部５８０に既に保存されているデバイスリンクプロファイルと修正カーブと、これから保存されるデバイスリンクプロファイルと修正カーブとの一覧が表示されるファイル表示部７０１が備えられている。本実施形態では、上記の基本デバイスリンクプロファイルＦ１と、その基本デバイスリンクプロファイルＦ１を最終的なデバイスリンクプロファイルＦに修正するための修正カーブとが、互いに関連付けられて色修正保存部５８０に保存される。上記のファイル表示部７０１は、デバイスリンクプロファイルを示すファイル名が表示されるプロファイル表示部７０１ａと、修正カーブを示すファイル名が表示される第１の修正カーブ表示部７０１ｂとを有している。これらの表示部には基本デバイスリンクプロファイルＦ１と、その基本デバイスリンクプロファイルＦ１に対応する修正カーブとが基本的に互いに隣り合って表示される。
【０１２５】
本実施形態では、このファイル表示部７０１にファイル名が表示されている基本デバイスリンクプロファイルＦ１と修正カーブとの組にカーソルを合わせることで、図６に示す色変換部５２０に組み込む最終的なデバイスリンクプロファイルＦを求めるための基本デバイスリンクプロファイルＦ１と修正カーブとを選択することができる。
【０１２６】
操作画面７００には、選択された基本デバイスリンクプロファイルＦ１と修正カーブとの組を最終的に承認するための決定ボタン７０５や、上記の選択をキャンセルするためのキャンセルボタン７０６が備えられている。基本デバイスリンクプロファイルＦ１と修正カーブとの組が選択された状態でオペレータが決定ボタン７０５を操作すると、選択された基本デバイスリンクプロファイルＦ１と修正カーブＬとがそれぞれ色修正保存部５８０から色修正選択部５９０によって読み出され、色修正部５６０に送られる。色修正部５６０は、これらの基本デバイスリンクプロファイルＦ１と修正カーブＬとから最終的なデバイスリンクプロファイルＦを求め、色変換部５２０に組み込む。
【０１２７】
このような操作は、例えば、過去に１度用いたプリンタを再び画像再現システム４００に組み込んで使用する場合や、あるいは現在の画像再現システム４００に組み込まれているプリンタを、同機種ではあるが機能が若干向上された新バージョンのプリンタに交換する等といった、既に作成された修正前のデバイスリンクプロファイルや修正カーブの流用が可能であると予測される場合に行なわれる。
【０１２８】
また、本実施形態では、上記の第１の修正カーブ表示部７０１ｂにファイル名が表示されている修正カーブを、デバイスリンクプロファイルとは関連付けずに単独で保存することもできる。図１１に示す操作画面７００には、第１の修正カーブ表示部７０１ｂにファイル名が表示されている修正カーブの中から、単独で保存する修正カーブのファイル名を選択する修正カーブ選択ボタン７０２と、単独で保存される修正カーブのファイル名が表示される第２の修正カーブ表示部７０３とが備えられている。オペレータが、第１の修正カーブ表示部７０１ｂ中の所望のファイル名にカーソルを合わせ、修正カーブ選択ボタン７０２を操作すると、そのファイル名が示す修正カーブが単独で保存される。そして、保存された修正カーブのファイル名が第２の修正カーブ表示部７０３に表示される。
【０１２９】
また、本実施形態では、所望のデバイスリンクプロファイルに、所望の修正カーブを関連付けることができる。操作画面７００には、第２の修正カーブ表示部７０３にファイル名が表示されている修正カーブの中から、デバイスリンクプロファイルに関連付ける修正カーブを選択する修正カーブ関連付けボタン７０４が備えられている。オペレータが、プロファイル表示部７０１ａ中の所望のファイル名と、第２の修正カーブ表示部７０３中の所望のファイル名とのそれぞれにカーソルを合わせ、修正カーブ関連付けボタン７０４を操作すると、各ファイル名が示すデバイスリンクプロファイルと修正カーブとが互いに関連付けられた状態で保存される。そして、第１の修正カーブ表示部７０１ｂにおける、プロファイル表示部７０１ａ中の所望のファイル名に隣接する位置に、第２の修正カーブ表示部７０３中の選択されたファイル名が表示される。
【０１３０】
また、以上説明した修正カーブの単独保存や、デバイスリンクプロファイルと修正カーブとの関連付け等といった操作は、キャンセルボタン７０６を操作することによってキャンセルすることもできる。
【０１３１】
本実施形態では、このような操作によって、様々なパターンのデバイスリンクプロファイルと修正カーブとの組を色修正保存部５８０に保存することができ、このような組を適宜に利用して作業の効率化を図ることができる。
【０１３２】
以上、図１〜図１１を参照して説明した本実施形態の色修正機能付色変換装置５００によれば、オペレータは、図９や図１１に示す操作画面を、熟練者の経験等に非依存で、単純に操作したり、ターゲットシステム３００や画像再現システム４００から出力されるチャート画像を機械的に測色したりするだけで、プルーフ画像の色を印刷物に近づけるための色変換に用いられるデバイスリンクプロファイルを簡単に求めることができる。つまり、この色修正機能付色変換装置５００によれば、所定の画像再現システム４００によって作成されるプルーフ画像の色を簡単に修正することができる。
【０１３３】
尚、上記では、本発明にいうチャート画像の一例として、互いに値が等しいＣＭＹ３色で階調が表わされた、互いに階調が異なる複数のパッチが配列されたＣＭＹチャート画像と、Ｋのインクで階調が表わされた、互いに階調が異なる複数のパッチが配列されたＫチャート画像とからなる画像を例示したが、本発明はこれに限るものではない。本発明のチャート画像は、例えば、互いに階調が異なる複数のパッチが配列されたＣＭＹＫ各色ごとの４種類のチャート画像からなる画像等であっても良い。この場合には、Ｃのドットゲインは、Ｃのチャート画像についての側色値のうちのＸ値から求められ、Ｍのドットゲインは、Ｍのチャート画像についての側色値のうちのＹ値から求められ、Ｙのドットゲインは、Ｙのチャート画像についての側色値のうちのＺ値から求められ、Ｋのドットゲインは、Ｋのチャート画像についての側色値のうちのＹ値から求められる。
【０１３４】
また、上記では、本発明にいう重み係数として、処理で求められる平均色差と最大色差とに応じた値に、オペレータによって設定される重み係数を例示したが、本発明はこれに限るものではない。本発明の重み係数は、例えば、固定値であっても良く、また、例えば、上記の平均色差および最大色差を用いた所定の関係式によって値が表わされ、処理で求められる平均色差と最大色差とに応じた値に自動的に設定される重み係数等であっても良い。
【０１３５】
また、上記では、本発明にいう色修正部の一例として、基本デバイスリンクプロファイルによる色変換後の「０」〜「２５５」のデバイス値からなる画像データを修正するための修正カーブを作成し、この修正カーブを基本デバイスリンクプロファイルに反映させる色修正部を例示したが、本発明はこれに限るものではない。本発明の色修正部は、例えば、基本デバイスリンクプロファイルによって色変換される前の「０」〜「１００」の網パーセントからなる画像データを予め修正するための修正カーブを作成し、その修正カーブを上記の修正前のデバイスリンクプロファイルに反映させるもの等であっても良い。
【図面の簡単な説明】
【０１３６】
【図１】本発明の一実施形態が適用される印刷−プルーフシステムの全体構成図である。
【図２】図１にブロックで示す分光測色計およびパーソナルコンピュータの外観斜視図である。
【図３】パーソナルコンピュータのハードウェア構成図である。
【図４】カラーチャートの一例を示す模式図である。
【図５】本発明の色修正プログラムの一実施形態が組み込まれた色修正機能付色変換プログラムが記憶されたＣＤ−ＲＯＭを示す概念図である。
【図６】本発明の色修正装置の一実施形態が組み込まれた色修正機能付色変換装置の機能ブロック図である。
【図７】図６に示すプロファイル作成部で実行される、デバイスリンクプロファイルの作成処理を示すフローチャートである。
【図８】図６に１つのブロックで示す色変換部の詳細を示すブロック図である。
【図９】操作画面を示す図である。
【図１０】デバイスリンクプロファイルの修正処理を示すフローチャートである。
【図１１】既存ファイル選択のための操作画面を示す図である。
【符号の説明】
【０１３７】
１０    カラースキャナ
１１    原稿画像
２０    ワークステーション
３０    フィルムプリンタ
４０    印刷機
４１    印刷画像
６０    プリンタ
６１    プルーフ画像
７０    分光測色計
７５    ケーブル
８０    パーソナルコンピュータ
８１    本体装置
８１ａ    ＦＤ装填口
８１ｂ    ＣＤ−ＲＯＭ装填口
８１１    ＣＰＵ
８１２    主メモリ
８１３    ハードディスク装置
８１４    ＦＤドライブ
８１５    ＣＤドライブ
８１６    Ｉ／Ｏインタフェース
８２    画像表示装置
８２ａ    表示画面
８３    キーボード
８４    マウス
８５    バス
９０    カラーチャート
９１    ＣＭＹチャート画像
９１ａ，９２ａ，９３ａ    パッチ
９２    Ｋチャート画像
９３    カラーチャート画像
１００    フレキシブルディスク
１０１    ＣＤ−ＲＯＭ
２００      色修正機能付色変換プログラム
２１０    プロファイル作成部
２２０    色変換部
２３０    第１の測色値入手部
２４０    第２の測色値入手部
２５０    ドットゲイン差算出部
２６０    色修正部
２７０    再処理制御部
２８０    色修正保存部
２９０    色修正選択部
３００    ターゲットシステム
４００    画像再現システム
５００    色修正機能付色変換装置
５１０    プロファイル作成部
５２０    色変換部
５２１    二値多値変換部
５２２    解像度変換部
５２３    等色変換部
５３０    第１の測色値入手部
５４０    第２の測色値入手部
５５０    ドットゲイン差算出部
５６０    色修正部
５７０    再処理制御部
５８０    色修正保存部
５９０    色修正選択部
６００    操作画面
６０１    ターゲットプロファイル選択部
６０１ａ，６０２ａ    表示部
６０１ｂ，６０２ｂ    選択ボタン
６０２    出力デバイスプロファイル選択部
６０３    プロファイル作成実行ボタン
６０４    修正実行ボタン
６０５    重み係数設定部
６０５ａ    カーソル
６０６    修正カーブ表示部
６０６ａ    ＣＭＹＫ切替えボタン
６０７    効果確認実行ボタン
６０８    修正効果表示部
６０８ａ    回数表示部
６０８ｂ    平均色差表示部
６０８ｃ    最大色差表示部
６０９    修正カーブ選択ボタン
６１０    修正カーブ取り消しボタン
６１１    ＯＫボタン
６１２    キャンセルボタン
６１３    既存ファイル選択ボタン
７００    操作画面
７０１    ファイル表示部
７０１ａ    プロファイル表示部
７０１ｂ    第１の修正カーブ表示部
７０２    修正カーブ選択ボタン
７０３    第２の修正カーブ表示部
７０４    修正カーブ関連付けボタン
７０５    決定ボタン
７０６    キャンセルボタン
【図１】
2006101169.tif 000003
【図２】
2006101169.tif 000004
【図３】
2006101169.tif 000005
【図４】
2006101169.tif 000006
【図５】
2006101169.tif 000007
【図６】
2006101169.tif 000008
【図７】
2006101169.tif 000009
【図８】
2006101169.tif 000010
【図９】
2006101169.tif 000011
【図１０】
2006101169.tif 000012
【図１１】
2006101169.tif 000013